(57)【要約】【技術課題】作業性が良く、汎用性があり、安全性に優れ、製作コストの安いケーブル架設装置を提供する。【解決手段】架設器本体１は、先端側に鉤状のケーブル保持部３を形成すると共にこのケーブル保持部３の基部２の両サイド面２ａ、２ｂに角突起部４、４ａを突設し、この角突起部４、４ａに並べてボルト通し穴５を貫通して設けると共にこのボルト通し穴５の双方の入口に多角形から成るナット嵌合口６、６ａを形成する。また、基部２の中央には吊りボルト挿入穴７を形成し、この吊りボルト挿入穴７の奥には、多角形のナット嵌合部９を設ける。次に、前記架設器本体１は、固定アングル１２の嵌合角穴１４に角突起部４又は４ａを嵌合させると共にボルト通し穴５内にボルト２１を通し、ナット２２を締め付けることにより固定アングル１２に取り付ける。【選択図】　　　　図１
2004088833.tif 000002
【特許請求の範囲】
【請求項１】
先端側に鉤状のケーブル保持部を形成すると共にこのケーブル保持部の基部を四角形に形成し、この四角形の基部の両サイド面に夫々突起部を突設し、この突起部に並べてボルト通し穴を貫通して設けると共にこのボルト通し穴の双方の入口に多角形から成るナット嵌合口を形成し、前記基部の後端面中央には吊りボルト挿入穴を形成してこの吊りボルト挿入穴の奥には、多角形のナット嵌合部を設けた構成の架設器本体と、
前記架設器本体の突起部が嵌合し、且つ前記ボルト通し穴内に貫通する固定ボルトが通る嵌合穴を長手方向に多数形成すると共に壁面に対する固定手段を設けた構成の前記架設器本体固定アングルと、から成るケーブル架設装置。
【請求項２】
ナット嵌合部は基部の外から内部に向って形成したナット挿入穴に続いて形成されていると共にこのナット挿入穴の下部にはナット取り出し穴が並列して連設されていることを特徴とする請求項１に記載のケーブル架設装置。
【請求項３】
架設器本体の鉤状のケーブル保持部にはケーブル固定バンド通し穴が設けられていると共にこのケーブル固定バンド通し穴に通してケーブルを固定するためのケーブル固定バンドが付属して設けられていることを特徴とする請求項１に記載のケーブル架設装置。
【請求項４】
ケーブル固定バンドには、ケーブルプロテクターが付属して設けられていることを特徴とする請求項３に記載のケーブル架設装置。
【請求項５】
架設器本体及びケーブル固定バンド並びにケーブルプロテクターには、ハロゲン元素を使用しない樹脂が用いられていることを特徴とする請求項１又は２又は３又は４に記載のケーブル架設装置。
【発明の詳細な説明】
【０００１】
【発明の属する技術分野】
本発明は、通信ケーブル、電力ケーブル等のケーブル類あるいは配管等（以下代表して「ケーブル」と称す）をトンネル、建物、その他の建造物の壁等に沿って架設するときに用いられるケーブル架設装置に関するものである。
【０００２】
【従来の技術】
ケーブルをトンネルや建物等の壁に沿って架設する場合には、図１０に示すようなフック形状のケーブル架設具が一般に使用される例が多い。
また、特開平０８−００４７４４号公報に掲載されているようなＪ状のコード保持体を偏平なプレートに形成したもの、あるいは、特開平０８−０６５８６７号公報に掲載のように、線材の挿通部を有するリング状部を有する形状のもの、あるいは、特開平１１−１６４４６１号公報に掲載されているように、フックと湾曲部を一列状に連結したもの等が公知である。
【０００３】
【発明が解決しようとする課題】
しかし、上記公知例においては、次のような欠点がある。
１．ケーブル架設具を壁等に固定したり、この架設具にケーブルを架設するのに手間と時間がかかる。
２．ケーブル架設具は、基本的には吊り下げてケーブルを保持するか、水平方向で受け止めて保持する二形態があり、一箇所で双方に用いることができるような汎用タイプのものがない。
３．強度的に弱く、局部的に荷重がかかり易いために耐久性に乏しい。
４．ケーブルに傷がつき易い。
５．価格が高い。
６．樹脂製の場合、火災時に有害ガスや黒煙等が多量に発生する。
本発明の目的は、上記したケーブル架設具の欠点を改善し、作業性が良く、汎用性に富み、耐久性があり、ケーブルを傷つけたりせず、価格的にも有利で、火災時に有毒ガスや黒煙等の発生量が少ないケーブル架設装置を提供することである。
【０００４】
【課題を解決するための手段】
上記目的を達成するため、請求項１に記載のケーブル架設装置においては、先端側に鉤状のケーブル保持部を形成すると共にこのケーブル保持部の基部を四角形に形成し、この四角形の基部の両サイド面に夫々突起部を突設し、この突起部に並べてボルト通し穴を貫通して設けると共にこのボルト通し穴の双方の入口に多角形から成るナット嵌合口を形成し、前記基部の後端面中央には吊りボルト挿入穴を形成してこの吊りボルト挿入穴の奥には、多角形のナット嵌合部を設けた構成の架設器本体と、
前記架設器本体の突起部が嵌合し、且つ前記ボルト通し穴内に貫通する固定ボルトが通る嵌合穴を長手方向に多数形成すると共に壁面に対する固定手段を設けた構成の前記架設器本体固定アングルと、から成ることを特徴とするものである。
【０００５】
更に、請求項２に記載のケーブル架設装置においては、請求項１に記載のナット嵌合部は基部の外から内部に向って形成したナット挿入穴に続いて形成されていると共にこのナット挿入穴の下部にはナット取り出し穴が並行して連設されていることを特徴とするものである。なお、このナット取り出し穴は、肉厚の均一化を図る目的もある。
【０００６】
更に、請求項３に記載のケーブル架設装置においては、請求項１に記載の架設器本体において、鉤状のケーブル保持部にはケーブル固定バンド通し穴が設けられていると共にこのケーブル固定バンド通し穴に通してケーブルを固定するためのケーブル固定バンドが付属して設けられていることを特徴とするものである。
【０００７】
更に、請求項４に記載のケーブル架設装置においては、請求項３に記載のケーブル固定バンドには、ケーブルプロテクターが付属して設けられていることを特徴とするものである。
【０００８】
更に、請求項５に記載のケーブル架設装置においては、請求項１又は２又は３又は４に記載の架設器本体及びケーブル固定バンド並びにケーブルプロテクターにおいては、火災発生時に有毒ガスや黒煙の発生量の少ないハロゲン元素を使用していない樹脂が用いられていることを特徴とするものである。
【０００９】
【作用】
架設器本体は、天井に沿ってケーブル等を架設する場合には、天井にアンカーボルトを建て込み、次にこのアンカーボルトに螺合するナットを架設器本体のナット挿入穴内のナット嵌合部に組み込み、次に前記アンカーボルトに押えナットを所定の位置までねじ込み、次にアンカーボルトの先をアンカーボルト通し穴内に挿し込んであらかじめ架設器本体側のナット嵌合部に組み込んでおいた前記固定ナットに架設器本体を回転させながらねじ込む。そして、所定量ねじ込んだところで止め、架設器本体のケーブル保持部の向きを整え、次に押えナットを締めつけて架設器本体をアンカーボルトに固定する。
【００１０】
次に、架設器本体を壁に対して水平方向に向けて取り付ける場合には、固定アングルを壁面に対して垂直に固定した後、この固定アングルの嵌合穴内に架設器本体の突起部を横方向から嵌合し、次に別な嵌合穴から架設器本体のボルト通し穴内にボルトを通し、あらかじめこの反対側のナット嵌合口内に嵌合させておいたナットにボルトの先をねじ込み、ボルトを締め付けて取り付けを終る。
【００１１】
次に、架設器本体のケーブル保持部にケーブル等を引っ掛けるようにして収める。このとき、必要に応じてケーブル保持部のケーブルバンド通し穴内にケーブル固定バンドを通し、更に必要に応じてプロテクターをケーブル等に添わせ、この上にケーブル固定バンドをまわして締め付けて固定する。なお、天井壁に架設器本体を取り付ける場合にも固定アングルを用いるようにしてもよい。また、１ヶの固定アングルに複数の架設器本体を取り付けて例えば一方にはケーブルを、他方には配管を保持させるようにしてもよい。
【００１２】
【発明の実施の形態】
図１〜図９は本発明に係るケーブル架設装置の構成とその使用例を示すもので、先ずその構成を図１〜図５を参照しながら詳述する。
図１は、架設器本体１と、この架設器本体１を壁面に取り付ける際に用いられる固定アングル１２と、その他の固定部品類を分解して示したものである。また、図２は架設器本体の側面、図３は上面、図４は正面、図５は架設器本体の基部の断面を示したものである。
【００１３】
この図１〜図５において架設器本体１は、四角形の基部２から水平方向（下方）に鉤状のケーブル保持部３を突設したハロゲン元素を用いない硬質の樹脂を用いて成形した一体品であって、前記基部２の両サイド２ａ、２ｂの対称位置には夫々四角形の角突起部４、４ａが形成されていると共にこの角突起部４、４ａに並べてボルト通し穴５が形成されている。そして、このボルト通し穴５の両サイド２ａ、２ｂの入口には四角形のナット嵌合口６、６ａが夫々形成されている。なお、角突起部４、４ａは、必ずしも角である必要はない。
【００１４】
また、基部２には垂直面（上面）２ｃの中央に吊りボルト挿入穴７が設けられていると共にこの吊りボルト挿入穴７の奥にはナット嵌合部８が設けられている。そして、このナット嵌合部８と基部２の上面（正面）２ｄにかけてはナット挿入穴９が設けられていて、このナット挿入穴９を用いて前記ナット嵌合部８内に吊りボルト用のナット２３ａ（図９参照）を出し入れすることができる。１０は前記ナット挿入穴９に沿って連設されたナット取り出し穴であって、この取り出し穴１０から例えば針金のようなものを入れて、ナット嵌合部８に嵌合しているナットを取り出すことが可能である。また、このナット取り出し穴１０は肉厚の均一化及び使用する成形樹脂の節約にも効果がある。
【００１５】
１１は前記ケーブル保持部３の中央に多設したケーブル固定バンド通し穴である。
１２は架設器本体１を壁面等に取り付けるときに用いられる固定アングルであって、この固定アングル１２は、金属板をＬ型に加工した長尺体で、一面１２ａには壁面に対する固定長穴１３、１３ａが形成され、他の一面１２ｂには前記架設器本体１の基部２に形成した角突起部４、４ａが丁度嵌合する嵌合角穴１４が形成されている。なお、この角突起部４、４ａは、前記角突起部４、４ａが丸の場合には、丸形となる。
【００１６】
１５はケーブル固定バンドであって、ケーブル保持部３にケーブルを入れ、必要に応じて前記ケーブル固定バンド通し穴１１に通し、ケーブルに捲きつけて固定するものである。この固定に際し、ケーブルを傷つけないようにプロテクター１６を取り付けてもよい。プロテクター１６の構成は図８に詳しく説明されており、上面の両サイドにバンド穴１７、１７ａを形成し、中央にバンド押え１８、１８ａを形成した構成である。なお、このケーブル固定バンド１５及びプロテクター１６も本実施例においては、ハロゲン元素を用いない樹脂で形成されている。
【００１７】
図１において、１９、１９ａは固定アングル１２を壁面に固定するためのアンカーナット、２０、２０ａは前記アンカーナット１９、１９ａに固定アングル１２の固定長穴１３、１３ａを介して固定アングル１２を固定するためのアングル固定ボルト、２１は固定アングル１２の嵌合角穴１４から架設器本体１のボルト通し穴５内に通し、反対側のナット嵌合口６又は６ａに嵌合させたナット２２にねじ込んで架設器本体１の基部２を固定アングル１２に固定するための架設器本体固定ボルトであって、この固定ボルト２１の頭の内側には、ナット２２と同一形状の供回り防止ナット部２１ａが形成されている。
【００１８】
図８、図９において、２３は前記架設器本体１の基部２に設けた吊りボルト挿入穴７内に通し、先端側をナット嵌合部８内に嵌合させたナット２３ａにねじ込んで架設器本体１を垂直に（天井に）取り付けるための吊りボルト、２４はこの吊りボルト２３に架設器本体１を取り付けたときに、架設器本体１を押えるための押えボルト、２５はワッシャである。
【００１９】
次に、上記構成のケーブル架設装置について、その使用例を説明する。
架設器本体１は、天井に沿ってケーブルＡを架設する場合には、図８、図９に示すように、天井にアンカーボルト２３を建て込み、次にこのアンカーボルト２３に螺合するナット２３ａを架設器本体１のナット挿入穴９内のナット嵌合部８に組み込み、次に前記アンカーボルト２３に押えナット２４を所定の位置までねじ込み、次にアンカーボルト２３の先をアンカーボルト通し穴７内に挿し込んであらかじめ架設器本体１側のナット嵌合部８内に組み込んでおいたナット２３ａに架設器本体１を回転させながらねじ込む。そして、所定量ねじ込んだところで止め、架設器本体１のケーブル保持部３の向きを整え、次に押えナット２４を締めつけて架設器本体１をアンカーボルト２３に固定する。
【００２０】
次に、架設器本体１を壁に対して水平方向に向けて取り付ける場合には、アンカーナット１９を壁面に打ち込み、図６に示すように、固定アングル１２を固定長穴１３、１３ａとアングル固定ボルト２０、２０ａを用いて壁面に対して垂直に固定した後、この固定アングル１２の嵌合角穴１４内に架設器本体１の角突起部４（４ａ）を横方向から嵌合し、次に別な嵌合角穴１４から架設器本体１のボルト通し穴５内にボルト２１を通し、あらかじめこの反対側のナット嵌合口６（６ａ）内に嵌合させておいたナット２２にボルト２１の先をねじ込み、ボルト２１を締め付けて取り付けを終る。
【００２１】
次に、架設器本体１のケーブル保持部３にケーブルＡを引っ掛けるようにして収める。このとき、必要に応じてケーブル保持部３のケーブルバンド通し穴１１内にケーブル固定バンド１５を通し、更に必要に応じてプロテクター１６をケーブルＡに添わせ、この上にケーブル固定バンド１５をまわし、締め付けて固定する。
図７（Ａ）（Ｂ）はトンネルの壁面にケーブルＡを架設した状態を示すものである。但し、この図の場合、ケーブル固定バンド１５、ケーブルプロテクター１６は使用していない。
【００２２】
【発明の効果】
本発明は以上の如き構成と作用により、次の効果を奏する。
１．固定アングルを壁面に取り付けるか、吊りボルトを用いて架設器本体を壁面に取り付けることができるため、例えば鉄道のトンネル内にケーブルを架設するような場合に、作業性が良く、能率的にケーブル等の架設ができる。
２．架設器本体は、固定アングルを利用したり、アンカーボルトを使用したりすることにより、ケーブル保持部を任意の方向に向けて取り付けることができるため、現場の状況等に合わせた汎用が可能である。
３．固定アングルに対して架設器本体を取り付ける時、突起部とボルトを用いることにより、通常であると２本のボルトを用いなければならないのが、１本のボルトで済み、固定作業が簡単になるばかりでなく、部品コストを低減できる。
４．各ボルトに対するナットは、供回りを防止するように、嵌合口内に収めるようにしたため、現場でいちいちナット又はボルトを押さえながら供回りを防止して締め付け作業を行わなくてもよく、作業性が良い。
５．ケーブル等は、ケーブル固定バンドを用いてケーブル保持部に固定できるため、ケーブル等が安定する。又、この時プロテクターを用いることにより、ケーブル等に傷をつけたりする心配がない。
６．ケーブル保持部には、ケーブル固定バンド通し穴が多設されているため、ケーブル等の径に対応した締め付け固定ができる。
７．ケーブル架設装置について、構造が簡単で部品数が少ない分、ケーブル等の架設経費を低減できる。
８．架設器本体及びケーブル固定バンド、プロテクターをハロゲン元素を用いない樹脂で成形することにより、特にトンネル内の火災発生時に有毒ガスや黒煙等の発生量が少なくなり、安全対策上有効である。
【図面の簡単な説明】
【図１】本発明に係るケーブル架設装置の各部品を分解した状態の説明図
【図２】架設器本体の側面図
【図３】架設器本体を基部側から見た正面図
【図４】架設器本体の平面図
【図５】架設器本体の基部の断面図
【図６】固定アングルに架設器本体を取り付けると共にケーブルを架設した状態の説明図
【図７】（Ａ）は本発明に係るケーブル架設装置を用いてトンネル内にケーブルを架設した状態の説明図、（Ｂ）は一部の拡大説明図
【図８】ケーブル架設装置を天井に取り付けてケーブルを吊設している状態の説明図
【図９】ケーブル架設装置を天井に取り付けてケーブルを吊設している状態の説明図
【図１０】従来のフック形ケーブル架設具の説明図
【符号の説明】
１　架設器本体
２　基部
３　ケーブル保持部
４、４ａ　角突起部
５　ボルト通し穴
６、６ａ　ナット嵌合口
１２　固定アングル
１５　ケーブル固定バンド
１６　プロテクター
【図１】
2004088833.tif 000003
【図２】
2004088833.tif 000004
【図３】
2004088833.tif 000005
【図４】
2004088833.tif 000006
【図５】
2004088833.tif 000007
【図６】
2004088833.tif 000008
【図７】
2004088833.tif 000009
【図８】
2004088833.tif 000010
【図９】
2004088833.tif 000011
【図１０】
2004088833.tif 000012